(57)【要約】【課題】複数の非接触ＩＣカードが用いられる場合においても情報を管理する利便性を向上させることができる非接触ＩＣカードおよび非接触ＩＣカードシステムを提供する。【解決手段】少なくとも上位データＤＨと下位データＤＳとを管理するリーダライタ２００に対して、下位データＤＳを保持する下位無線ＩＣタグ２とともに用いられる上位無線ＩＣタグ１であって、第１保持部３６と、通信部１０と、第２保持部３７とを備えている。そして、この上位データＤＨは、第１保持部３６によって保持されている。また、通信部１０は、下位無線ＩＣタグ２からの電磁波Ｍの信号Ｍ２によって、下位データＤＳを非接触に受信する。そして、第２保持部３７は、通信部１０が受信した下位データＤＳを保持する。【選択図】        図４
2005025443.tif 000002
【特許請求の範囲】
【請求項１】
少なくとも第１データ（ＤＨ）と第２データ（ＤＳ）とを管理する外部装置（２００）に対して、前記第２データ（ＤＳ）を保持する他の非接触ＩＣカード（２）とともに用いられる非接触ＩＣカード（１）であって、
前記第１データ（ＤＨ）を保持する第１保持部（３６）と、
前記他の非接触ＩＣカード（２）からの伝導媒体（Ｍ）の信号（Ｍ２）によって前記第２データ（ＤＳ）を非接触に受信する通信部（１０）と、
前記通信部（１０）が受信した前記第２データ（ＤＳ）を保持する第２保持部（３７）と、
を備えた非接触ＩＣカード（１）。
【請求項２】
前記通信部（１０）は、前記外部機器（２００）からの前記伝導媒体（Ｍ）による信号（Ｍ０）を受信することにより前記他の非接触ＩＣカード（２）が発信する前記伝導媒体（Ｍ）の信号（Ｍ２）によって前記第２データ（ＤＳ）を非接触に受信する、
請求項１に記載の非接触ＩＣカード（１）。
【請求項３】
前記第２保持部（３７）と接続され、前記第２データ（ＤＳ）を前記第１データ（ＤＨ）との関連に従って選別する選別部（３１）をさらに備えた、
請求項１または２に記載の非接触ＩＣカード（１）。
【請求項４】
前記外部装置（２００）からの前記伝導媒体（Ｍ）を前記通信部（１０）が受けることと、前記他の非接触ＩＣカード（２）からの前記伝導媒体（Ｍ）を前記通信部（１０）が受けることと、自ら電池を有することとの少なくともいずれか１つによって起電力を得る電力部（２０）をさらに備えた、
請求項１または２に記載の非接触ＩＣカード（１）。
【請求項５】
前記通信部（１０）は、前記第１データ（ＤＨ）と前記第２保持部（３７）に保持されているデータとを前記伝導媒体（Ｍ）によって前記外部装置（２００）に対して送信する、
請求項１から４のいずれかに記載の非接触ＩＣカード（１）。
【請求項６】
前記通信部（１０）は、前記伝導媒体（Ｍ）を介して前記外部機器（２００）からデータを非接触に受信する、
請求項１から５のいずれかに記載の非接触ＩＣカード（１）。
【請求項７】
少なくとも第１データ（ＤＨ）と第２データ（ＤＳ）とを管理するために、伝導媒体（Ｍ）による信号（Ｍ０）の送信を行う外部機器（２００）と、
前記第２データ（ＤＳ）を保持している他の非接触ＩＣカード（２）と、
前記第１データ（ＤＨ）を保持している非接触ＩＣカード（１）と、
を備え、
前記非接触ＩＣカード（１）は、前記他の非接触ＩＣカード（２）が前記信号（Ｍ０）を受信することにより発信する前記伝導媒体（Ｍ）によって前記第２データ（ＤＳ）を非接触に受信する、
非接触ＩＣカードシステム。
【請求項８】
前記非接触ＩＣカード（１）は、前記第１データ（ＤＨ）と前記第２データ（ＤＳ）とを前記伝導媒体（Ｍ）によって前記外部装置（２００）に対して送信する、
請求項７に記載の非接触ＩＣカードシステム。
【発明の詳細な説明】
【０００１】
【発明の属する技術分野】
本発明は、非接触ＩＣカードおよび非接触ＩＣカードシステム、特に、少なくとも第１データと第２データとを管理する外部装置に対して、第２データを保持する他の非接触ＩＣカードとともに用いられる非接触ＩＣカードおよび非接触ＩＣカードシステムに関する。
【０００２】
【従来の技術】
近年、クレジットカード、銀行カード、ポイントカード等のカード状あるいはシート状の形状の内部にＩＣが組み込まれているＩＣカードと呼ばれている新しい情報記録媒体が広く利用されるようになってきている。
【０００３】
このようなＩＣカードは大きく分けて接触型、非接触型の２種類に分けられる。接触型のＩＣカードは、カード表面に端子が設けられており、その端子を通じて信号のやり取りを行うものである。一方、非接触型のＩＣカード（非接触ＩＣカード）は、メモリを含む所定の集積回路を搭載し、書き込み・読み出し機能を持つ外部装置（リーダライタ）との間で直接電気的に結合されることなく（コネクタ等を介して結合されることなく）電波又は光によるデータの送受信を行うことのできるものである。そして、従来の切符、定期券等、磁気記録層が片面に設けられている乗車券等に代わる記録媒体として、このような非接触ＩＣカードの特徴を利用した様々な分野での応用化が進められている。特に荷物や部品等に装着させてこれらを非接触で管理したり、改札通過の際に一々乗車券を取り出すことがなく定期入れや鞄等の中からでも情報交換できたりと、様々な場面での利便性向上に役立つものとして期待されている。
【０００４】
また、このような非接触ＩＣカードを物品等に取り付け、リーダライタ等の外部装置から、物品に取り付けられた各非接触ＩＣカードのメモリに格納されている内容を読み出すことにより、物品の生産から廃棄に至るまでのいわゆるライフサイクルにおける製品の稼働状況や履歴の情報によって物品を管理するというアイデアが提案されている。また、以下の特許文献１に示されるように、ライフサイクル全体での低コスト化を実現するために、製品の製造時、使用時、メンテナンス時に型番・製造番号などの識別情報、材質情報、稼働情報、エラー情報、メンテナンス情報等を非接触ＩＣカードに保持させておくシステムも提案されている。このシステムでは、情報が保持されている非接触ＩＣカードを各製品、部品毎に取り付けて、入力された情報を記憶し、記憶された情報を読み出して、製造、メンテナンス、回収、中古販売などの各ステージで情報を処理・判断して評価を行う。さらには、以下の特許文献２に示されるように、製品機器に関する履歴情報が製品と一体的に記憶されるようにした履歴情報記憶装置が提案されている。
【０００５】
このような技術によると、製品に関する情報を非接触ＩＣカードを用いて製品に取り付け、製品と情報とを一体化させてライフサイクルを構成する各ステージを流通させることができ、製造、メンテナンス、回収、中古販売などの各ステージで製品に関する情報を共有し自由に利用することができる。
【０００６】
【特許文献１】
特開平１０−２２２５６８号公報  （第３−７頁、第１図）
【０００７】
【特許文献２】
特開平１１−１２０３０８号公報  （第５−９頁、第３図）
【０００８】
【発明が解決しようとする課題】
ところが、上記システムにおいては、リーダライタが読み取って把握できるのは、各非接触ＩＣカードそれぞれに格納されている情報のみである。このため、非接触ＩＣカードごとの個別の情報の把握しかできず、各非接触ＩＣカード同士がどのような関係に置かれているのかについての情報は直接的には把握することができない。例えば、互いに一定の関係にあるような複数の物品それぞれに対して非接触ＩＣカードが取り付けられている場合においても、各物品が有している識別情報・履歴情報等についての把握ができるだけであり、各物品相互間の関係については直接的には把握することができない。したがって、非接触ＩＣカード相互間の関係（取り付けられた物品相互間の関係）について把握するには、管理センターなどに備え付けられたコンピュータ等の機器においてあらかじめ各非接触ＩＣカードの情報をデータベースとして保有しておくことが必要となる。そして、リーダライタ等によって読み取った各情報が互いにどのような関係にあるのかについて、改めてそのようなコンピュータによってデータベースと照合する等の処理作業が必要となってしまい、不便である。特に、非接触ＩＣカードによる管理対象の物品等が多ければ多いほど取り付けられる非接触ＩＣカードも多くなるため、リーダライタで読み取った後の各データの処理が煩雑となり、より高価な処理機能を備えた機器等を設けなければならないという恐れもある。
【０００９】
本発明は、上記事情に鑑みてなされたものであり、本発明の課題は、複数の非接触ＩＣカードが用いられる場合においても情報を管理する利便性を向上させることができる非接触ＩＣカードおよび非接触ＩＣカードシステムを提供することにある。
【００１０】
【課題を解決するための手段】
請求項１に係る非接触ＩＣカードは、少なくとも第１データと第２データとを管理する外部装置に対して、第２データを保持する他の非接触ＩＣカードとともに用いられる非接触ＩＣカードであって、第１保持部と、通信部と、第２保持部とを備えている。ここでの非接触ＩＣカードには、一般にＲＦＩＤタグ（Ｒａｄｉｏ  Ｆｒｅｑｕｅｎｃｙ  ＩＤｅｎｔｉｆｉｃａｔｉｏｎ）と呼ばれるものが含まれる。また、非接触ＩＣカードは、特に形状についての限定がなされるものではなく、カード型、タグ型、チップ型、ラベル型、筒型、コイン型、箱型、スティック型等の様々な形状のものが含まれる。ここで、他の非接触ＩＣカードとは、複数ある非接触ＩＣカードのうちの非接触ＩＣカード以外のものをいう。ここでの第１データとしては、非接触ＩＣカードに固有のＩＤやその他の使用目的に応じた処理に用いられるデータ等である。そして、この第１データは、第１保持部によって保持されている。第２データは、他の非接触ＩＣカードに固有のＩＤやその他の使用目的に応じたデータ等である。また、通信部は、他の非接触ＩＣカードからの伝導媒体の信号によって、第２データを非接触に受信する。ここでの伝導媒体による通信としては、外部機器との間における電磁結合方式、静電結合方式、電磁誘導方式、マイクロ波方式、光方式等による通信等が含まれる。電磁結合方式とは、密に結合した電磁誘導の相互誘導作用を利用した通信方式である。また、静電結合方式とは、静電気の誘導作用を利用した通信方式であり、電磁誘導方式とは、電磁誘導作用を利用した通信方式であり、マイクロ波方式とは、マイクロ波帯の電波を利用した通信方式であり、光方式とは、光通信を利用した通信方式のことをいう。そして、第２保持部は、通信部が受信した第２データを保持する。ここでの第１保持部と第２保持部とは、同一のメモリとして存在する場合であってもよいし、別々のメモリとして存在する場合であってもよい。なお、ここでの伝導媒体としては、例えば、他の非接触ＩＣカードが電池等の駆動力を有することにより自ら発信させる伝導媒体等も含まれる。
【００１１】
従来の非接触ＩＣカードにおいては、情報の読み書きが可能な外部機器（リーダライタ等）から伝導媒体によって応答を要求する信号が送られてきた場合に、自己が保持しているＩＤと何らかのデータとを伝導媒体によって応答しているにすぎない。このため、非接触ＩＣカードが複数存在する場合には、それらの非接触ＩＣカード間の関係について把握するには、別途機器を設けて各非接触ＩＣカードから収集された情報を処理する等の作業をしなければならない。
【００１２】
しかし、請求項１に記載の非接触ＩＣカードは、他の非接触ＩＣカードから伝導媒体によってデータを受信することができる。このため、第１データを保持している非接触ＩＣカードは、他の非接触ＩＣカードが保持している第２データについても保持することができるようになる。このため、第１データと第２データとを、一緒にもしくは関連付けて取り扱うことができるようになり、データ処理における利便性を向上させることが可能となる。
【００１３】
例えば、非接触ＩＣカードが、自己と所定の通信距離内に存在する複数の他の非接触ＩＣカードからデータを収集する設定となっている場合には、非接触ＩＣカード１つに格納されている情報を処理するだけで、その非接触ＩＣカードが取り付けられた対象と所定の通信距離内に存在する他の非接触ＩＣカードが取り付けられている対象を把握することができるようになる。このため、非接触ＩＣカードと所定の通信距離内に存在する他の非接触ＩＣカードの位置関係について把握することができるようになる。
【００１４】
請求項２に係る非接触ＩＣカードは、請求項１に記載の非接触ＩＣカードであって、通信部は、次に示す手順で第２データを受信する。まず、他の非接触ＩＣカードが、外部機器からの伝導媒体による信号を受信する。そして、この他の非接触ＩＣカードは、外部機器からの信号を受信することによって伝導媒体の信号を発信して第２データの送信を行う。この伝導媒体の信号により、通信部は、他の非接触ＩＣカードから第２データを非接触に受信する。
【００１５】
ここでは、他の非接触ＩＣカードは、外部機器からの伝導媒体による信号によって誘導されて電力等の駆動力を生じ、これによって伝導媒体を発信して第２データを送信することができるようになる。これにより、非接触ＩＣカードの通信部は、第２データを非接触に受信することができるようになる。このため、非接触ＩＣカードとともに用いられる他の非接触ＩＣカードにおいて電池等の駆動力が搭載されていない場合であっても、非接触ＩＣカードは、第２データを受信することができるようになる。
【００１６】
請求項３に係る非接触ＩＣカードは、請求項１または２に記載の非接触ＩＣカードであって、第２保持部と接続され、第２データを第１データとの関連に従って選別する選別部をさらに備えている。ここでの選別部としては、例えば、所定の選別基準を有する論理回路等がある。
【００１７】
ここでは、選別部が、非接触ＩＣカードの通信部が受信した第２データを第１データとの関連に従って選別することができる。このため、第２保持部は、選別部による選別結果に基づいてデータを格納することができるようになる。これにより、非接触ＩＣカードと他の非接触ＩＣカードとの間での関連付けをより詳細に行うことが可能となる。
【００１８】
請求項４に係る非接触ＩＣカードは、請求項１または２に記載の非接触ＩＣカードであって、起電力を得る電力部をさらに備えている。この電力部は、以下の３つのうちの少なくともいずれか１つによって起電力を得る。１つ目は、外部装置からの伝導媒体を通信部が受けることにより起電力を得るものである。２つ目は、他の非接触ＩＣカードからの伝導媒体を通信部が受けることにより起電力を得るものである。３つ目は、自ら電池を有することにより起電力を得るものである。
【００１９】
ここでは、非接触ＩＣカードが、電力部を備えることによって起電力を得ることができるようになる。したがって、非接触ＩＣカードは電気プラグとコンセントのような電気配線等を用いることなく電力を得ることができる。これにより、非接触ＩＣカードは、適用対象の距離範囲の制限を低減することが可能となる。これにより、例えば、移動するような対象に対しても取り付けることができるようになる。
【００２０】
なお、１つ目の外部装置からの伝導媒体を通信部が受ける場合と、２つ目の他の非接触ＩＣカードからの伝導媒体を通信部が受ける場合とにおいては、非接触ＩＣカードは、自ら電池を有する必要性を低減することができ、また、構造を単純化させることが可能となる。
【００２１】
請求項５に係る非接触ＩＣカードは、請求項１から４のいずれかに記載の非接触ＩＣカードであって、通信部は、第１データと第２保持部に保持されているデータとを伝導媒体によって外部装置に対して送信する。
【００２２】
ここでは、非接触ＩＣカードは、第１データと第２データとを関係付けて、まとめて外部装置に対して送信することができるようになる。これにより、外部装置が、非接触ＩＣタグが取り付けられた管理対象から離れた場所にある場合においても、第１データと、第１データと所定の関係にある第２データとをまとめられた状態で把握することができるようになる。
【００２３】
請求項６に係る非接触ＩＣカードは、請求項１から５のいずれかに記載の非接触ＩＣカードであって、通信部は、伝導媒体を介して外部機器からデータを非接触に受信する。
【００２４】
ここでは、非接触ＩＣカードは、非接触ＩＣカードの通信部に対する外部機器からのデータ入力と、他の非接触ＩＣカードからのデータ入力とを組み合わせて行うことができるようになる。このため、データ処理における利便性をより向上させることができるようになる。
【００２５】
請求項７に係る非接触ＩＣカードシステムは、外部機器と、他の非接触ＩＣカードと、非接触ＩＣカードとを備えている。ここでの非接触ＩＣカードには、一般にＲＦＩＤタグ（Ｒａｄｉｏ  Ｆｒｅｑｕｅｎｃｙ  ＩＤｅｎｔｉｆｉｃａｔｉｏｎ）と呼ばれるものが含まれる。また、非接触ＩＣカードは、特に形状についての限定がなされるものではなく、カード型、タグ型、チップ型、ラベル型、筒型、コイン型、箱型、スティック型等の様々な形状のものが含まれる。外部機器は、少なくとも第１データと第２データとを管理するために、伝導媒体による信号の送信を行う。ここでの伝導媒体による通信としては、外部機器との間における電磁結合方式、静電結合方式、電磁誘導方式、マイクロ波方式、光方式等による通信等が含まれる。電磁結合方式とは、密に結合した電磁誘導の相互誘導作用を利用した通信方式である。また、静電結合方式とは、静電気の誘導作用を利用した通信方式であり、電磁誘導方式とは、電磁誘導作用を利用した通信方式であり、マイクロ波方式とは、マイクロ波帯の電波を利用した通信方式であり、光方式とは、光通信を利用した通信方式のことをいう。そして、他の非接触ＩＣカードは、第２データを保持している。ここでの他の非接触ＩＣカードとは、複数ある非接触ＩＣカードのうちの非接触ＩＣカード以外のものをいう。また、第２データとは、他の非接触ＩＣカードに固有のＩＤやその他の使用目的に応じたデータ等である。非接触ＩＣカードは、第１データを保持している。ここでの第１データとしては、非接触ＩＣカードに固有のＩＤやその他の使用目的に応じた処理に用いられるデータ等である。そして、非接触ＩＣカードは、他の非接触ＩＣカードが信号を受信することにより発信する伝導媒体によって、第２データを非接触に受信する。
【００２６】
従来の非接触ＩＣカードにおいては、情報の読み書きが可能な外部機器（リーダライタ等）から伝導媒体によって応答を要求する信号が送られてきた場合に、自己が保持しているＩＤと何らかのデータとを伝導媒体によって応答しているにすぎない。このため、非接触ＩＣカードが複数存在する場合には、それらの非接触ＩＣカード間の関係について把握するには、別途機器を設けて各非接触ＩＣカードから収集された情報を処理する等の作業をしなければならない。
【００２７】
しかし、請求項７に記載の非接触ＩＣカードシステムでは、非接触ＩＣカードが、他の非接触ＩＣカードから伝導媒体によってデータを受信することができる。このため、第１データを保持している非接触ＩＣカードは、他の非接触ＩＣカードが保持している第２データについても保持することができるようになる。このため、第１データと第２データとを、一緒にもしくは関連付けて取り扱うことができるようになり、データ処理における利便性を向上させることが可能となる。また、他の非接触ＩＣカードは、外部機器からの伝導媒体による信号によって誘導されて電力等の駆動力を生じ、これによって伝導媒体を発信して第２データを送信することができるようになる。これにより、非接触ＩＣカードとともに用いられる他の非接触ＩＣカードにおいて電池等の駆動力が搭載されていない場合であっても、非接触ＩＣカードは、第２データを受信することができるようになる。
【００２８】
例えば、非接触ＩＣカードが、自己と所定の通信距離内に存在する複数の他の非接触ＩＣカードからデータを収集する設定となっている場合には、電池等を内蔵していない他の非接触ＩＣカードであっても伝導媒体を発信して第２データを送信して、その非接触ＩＣカードが取り付けられた対象と所定の通信距離内に存在する他の非接触ＩＣカードが取り付けられている対象を把握することができるようになる。このため、非接触ＩＣカード１つに格納されている情報を処理するだけで、非接触ＩＣカードと所定の通信距離内に存在する他の非接触ＩＣカードの位置関係について把握することができるようになる。
【００２９】
請求項８に係る非接触ＩＣカードシステムは、請求項７に記載の非接触ＩＣカードシステムであって、非接触ＩＣカードは、第１データと第２データとを伝導媒体によって外部装置に対して送信する。
【００３０】
ここでは、非接触ＩＣカードは、第１データと第２データとを関係付けて、まとめて外部装置に対して送信することができるようになる。これにより、外部装置が、非接触ＩＣタグが取り付けられた管理対象から離れた場所にある場合においても、第１データと、第１データと所定の関係にある第２データとをまとめられた状態で把握することができるようになる。
【００３１】
【発明の実施の形態】
本発明の実施形態に係る無線ＩＣタグを用いたデータ管理システムの概略図を、図１に示す。なお、以下の実施形態においては、本システムが空気調和機の製造工程に対して適用された場合の実施形態として説明しているが、本システムは、このような空気調和機の製造工程に限定されるものではなく、複数の管理対象に対して無線ＩＣタグを取り付けて各管理対象における相互間の関係の情報を取り扱うようなシステムであれば、この他にも様々な場面での適用が可能なシステムである。
【００３２】
以下、初めに無線ＩＣタグの基本的な構成を説明し、続いてこのような無線ＩＣタグを空気調和機の製造工程に適用した場合について説明する。
【００３３】
＜無線ＩＣタグを用いたデータ管理システムの基本的な構成＞
ここに示す無線ＩＣタグを用いたデータ管理システムは、図１、図２および図３に示すように、主に、リーダライタ２００と、カード型の上位無線ＩＣタグ１と、複数のカード型の下位無線ＩＣタグ２（２ａ、２ｂ、２ｃ・・・）とから構成されている。リーダライタ２００は、基本的な機能として、自ら発生させた電磁波Ｍを介して複数の無線ＩＣタグ１、２に対して電力を非接触に供給する機能と、データの返信を要求するためのデータ要求信号Ｍ０を非接触に送信する機能を有している。これに対し上位および下位の無線ＩＣタグ１、２（以下、単に「無線タグ１，２」という。）は、それぞれ固有のＩＤとデータとを備えており、リーダライタ２００から受信した電磁波Ｍによって誘導電力を得て、リーダライタ２００に対して電磁波Ｍの信号である上位応答信号Ｍ１、下位応答信号Ｍ２によって固有のＩＤとデータとを非接触に応答する。ここでの電磁波Ｍは、主に、２５０ＫＨｚ以下、あるいは１３．５６ＭＨｚ帯の長・中波帯の電磁波を利用している。
【００３４】
また、上位無線ＩＣタグ１は、さらに、リーダライタ２００からのみならず、下位無線ＩＣタグ２から発生される電磁波Ｍによる応答信号Ｍ２をも受信する。このため、上位無線ＩＣタグ１においては、自己が有している固有のＩＤと上位データＤＨ（Ｄａｔａ  Ｈｉｇｈ）との他に、受信した下位無線ＩＣタグ２が備えている固有のＩＤとデータＤＳ（Ｄａｔａ  Ｓｕｂ）とについても保持することができるようになっている。
【００３５】
以下、図２に示す、リーダライタ２００と無線ＩＣタグ１，２とのブロック図を参照しながら、各構成について詳細に説明する。
【００３６】
〔リーダライタの構成〕
リーダライタ２００は、図２（図３も同様。）に示すように、主に、通信部２１０と、電力制御回路２２１とからなる。
【００３７】
通信部２１０は、リーダライタコイル２１１と、データ送信回路２１２と、データ受信回路２１３とから構成されている。リーダライタコイル２１１は、電磁波Ｍを発信させて、無線ＩＣタグ１，２に備わる無線ＩＣタグコイル１１（後述する。）との間で電磁誘導を生じさせる。データ送信回路２１２は、無線ＩＣタグ１、２に格納させるためのデータや、各無線ＩＣタグ１，２にすでに格納されているデータの応答を要求する旨のデータ要求信号Ｍ０を送信するために、所定の電気信号に変換する。ここでの送信は、リーダライタコイル２１１から発生した電磁波Ｍによって無線ＩＣタグコイル１１との間で生ずる電磁誘導によって行われる。ここで送信されるデータは、各無線ＩＣタグ１、２に設けられているメモリ３５に格納されるためのデータである。データ受信回路２１３は、無線ＩＣタグ１、２に備わる無線ＩＣタグコイル１１と、リーダライタコイル２１１との間での電磁波Ｍによって生ずる電磁誘導によって、無線ＩＣタグ１、２からの電気信号を受信する。そして、この受信した電気信号を解析してデータ化する。
【００３８】
電力制御回路２２１は、リーダライタコイル２１１と接続されている。そして電力制御回路２２１は、無線ＩＣタグ１、２において必要とされる電力分についての供給を行うために、リーダライタコイル２１１から生じさせる電磁波Ｍについての強弱を調整する。これにより、無線ＩＣタグ１、２に備わる無線ＩＣタグコイル１１が、必要に応じた電力を得ることができるようになっている。
【００３９】
〔上位無線ＩＣタグの構成〕
上位無線ＩＣタグ１は、図２に示すように、通信部１０と、電力部２０と、制御部３０とからなる。
【００４０】
通信部１０は、無線ＩＣタグコイル１１と、データ送信回路１２と、データ受信回路１３とから構成されている。無線ＩＣタグコイル１１は、リーダライタ２００からの電磁波Ｍを受信し、リーダライタコイル２１１との間で電磁誘導を生ずる。無線ＩＣタグコイル１１は、さらに、図４に示すように、下位無線ＩＣタグ２からの電磁波Ｍをも受信し、下位無線ＩＣタグ２に備わる無線ＩＣタグコイル１１との間でも電磁誘導を生ずることができる。また、無線ＩＣタグコイル１１は、電磁誘導によって得た起電力によって自ら電磁波Ｍを発生させて、リーダライタ２００に対してデータの送信を行う。データ送信回路１２は、後述する制御部３０に接続されている。そして、このデータ送信回路１２は、制御部３０のメモリ３５に格納されているデータを電気信号に変えて、無線ＩＣタグコイル１１とリーダライタコイル２１１との間に電磁誘導を生じさせることによって、リーダライタ２００に対してデータを送信する。データ受信回路１３は、リーダライタコイル２１１と無線ＩＣタグコイル１１との間で生ずる電磁誘導によって、リーダライタ２００から電気信号を受信して、この受信した電気信号を解析してデータ化する。また、図４に示すように、下位無線ＩＣタグ２に備わる無線ＩＣタグコイル１１との間で生ずる電磁誘導の場合にも、データ化を行うことができる。このデータ受信回路１３は、制御部３０と接続されており、データ化した情報を後述する第２保持部３７に格納させることができる。
【００４１】
電力部２０は、整流回路２１と電源回路２２とから構成されている。整流回路２１は、無線ＩＣタグコイル１１と接続されており、リーダライタコイル２１１から電磁誘導により供給された起電力を整流して、電源回路２２に対して供給する。電源回路２２は、整流回路２１から供給された電力を所定の電圧に調整して、制御部３０に供給したり、データ送信の際の電磁波Ｍの発生に用いたり、その他周辺回路に対して供給したりする。
【００４２】
制御部３０は、論理回路３１と、メモリ３５とから構成されている。
【００４３】
論理回路３１は、無線ＩＣタグコイル１１において下位無線ＩＣタグ２から受信してデータ受信回路１３においてデータ化された受信情報である下位無線ＩＣタグ２の下位データＤＳについて、後述するメモリ３５における第２保持部３７に格納するか否かの選別を行う。ここでの論理回路３１においては、各下位無線ＩＣタグ２に固有のＩＤに基づいて格納するか否かの判断がなされる。そして、論理回路３１によって格納すると判断された下位データＤＳは、メモリ３０の第２保持部３７に格納される。また、論理回路３１によって格納しないと判断されたデータはＤＳ、なんらの情報処理も施されずに無視され、格納されない。例えば、図４に示されるように、上位無線ＩＣタグ１は、下位無線ＩＣタグ２から下位応答信号ＤＳａ、ＤＳｂ、ＤＳｃ、ＤＳｄ・・・を受信していくが、図２に示されるように、この論理回路３１によって格納データの選別が行なわれるため、受信したデータのうち下位応答信号ＤＳａとＤＳｄとを格納して、下位応答信号ＤＳｂとＤＳｃとは格納しないとする判断をする。この場合には、下位無線ＩＣタグ２ａと下位無線ＩＣタグ２ｄとが、上位無線ＩＣタグ１と関係がある物品等に取り付けられている無線ＩＣタグであることが分かる。
【００４４】
メモリ３５は、第１保持部３６と第２保持部３７とから構成されている。第１保持部３６においては、上位無線ＩＣタグ１に固有のＩＤと、上位無線ＩＣタグ１についての上位データＤＨとが格納されている。ここでの各ＩＤやデータは、このような上位無線ＩＣタグ１がシステムに適用される前にあらかじめ入力される。また、第１保持部３６は、上述したリーダライタ２００からデータを受信することにより、上位無線ＩＣタグ１が物品等に取り付けられることによりシステムに適用された後においても、データを追加入力することができるようになっている。第２保持部３７においては、下位無線ＩＣタグ２から受信したデータについて、上述の論理回路３１によって格納する旨の判断がなされたデータについての格納が行われる。具体的には、データ受信回路１３においてデータ化された情報である下位無線ＩＣタグ２に固有のＩＤと、下位無線ＩＣタグ２についての下位データＤＳとを格納する。また、下位無線ＩＣタグ２ａから受信した場合には下位データＤＳａを、下位無線ＩＣタグ２ｂから受信した場合には下位データＤＳｂを、下位無線ＩＣタグ２ｃから受信した場合には下位データＤＳｃを、というようにそれぞれ格納していく。
【００４５】
〔下位無線ＩＣタグの構成〕
下位無線ＩＣタグ２の構成は、図３に示すように、上位無線ＩＣタグ１の構成とほぼ同様の構成である。しかし、下位無線ＩＣタグ２においては、上位無線ＩＣタグ１のメモリ３５における第１保持部３６と第２保持部３７とのような２つの保持部は採用せず、１つの保持部３６のみを有している。また、下位無線ＩＣタグ２は、上位無線ＩＣタグ１の制御部３０における論理回路３１を備えていないという簡易な構成となっている。
【００４６】
〔データ管理システムの構成〕
ここでは、図４に示すように、上記リーダライタ２００と、上位無線ＩＣタグ１と、下位無線ＩＣタグ２（２ａ、２ｂ、２ｃ、２ｄ・・・）との３つによって、データが管理される手順を説明する。
【００４７】
まず、リーダライタ２００が、電磁波Ｍを送信して、上位無線ＩＣタグ１との間と、下位無線ＩＣタグ２との間とにおいて１回目の電磁誘導を生じさせる。この電磁誘導によって、リーダライタ２００は、上位無線ＩＣタグ１と下位無線ＩＣタグ２とに対して１回目のデータ要求信号Ｍ０を送信する。
【００４８】
このリーダライタ２００からの１回目のデータ要求信号Ｍ０に対して、下位無線ＩＣタグ２は、リーダライタ２００から電磁誘導によって供給された電力によって新たな電磁波Ｍを生じ、下位ＩＤと下位データＤＳとからなる下位応答信号Ｍ２を送信する。なお、リーダライタ２００においては、１回目のデータ要求信号Ｍ０に対する下位無線ＩＣタグ２からの下位応答信号Ｍ２は受信しないように設定されている。また、下位応答信号Ｍ２を受信した上位無線ＩＣタグ１においては、論理回路３１において格納するとの判断がなされた下位無線ＩＣタグからのデータのみを格納していく。このため、この下位応答信号Ｍ２は、リーダライタ２００には受信されないでもしくは受信しても何の処理も施されないで（リーダライタ２００に無視されて）、上位無線ＩＣタグ１には論理回路３１で選別されたデータのみが上位無線ＩＣタグ１の第２保持部３７に格納される。
【００４９】
また、上位無線ＩＣタグ１も同様に、図４に示されるように、リーダライタ２００からの１回目のデータ要求信号Ｍ０に対して、上位ＩＤと上位データＤＨとからなる上位応答信号Ｍ１を送信する。ここでも上記と同様に、リーダライタ２００においては１回目のデータ要求信号Ｍ０に対する上位無線ＩＣタグ１からの上位応答信号Ｍ１は受信しないように設定されている。また、下位無線ＩＣタグ２においては、上位無線ＩＣタグ１からの上位応答信号Ｍ１は受信しないようにもしくは受信しても何の情報処理も施されないように（下位無線ＩＣタグ２において無視されるように）設定されている。このため、この上位応答信号Ｍ１は、リーダライタ２００にも下位無線ＩＣタグ２にも受信されない（受信されたとしても、リーダライタ２００においても下位無線ＩＣタグ２においても無視される）。
【００５０】
次に、リーダライタ２００は、電磁波Ｍを送信して、上位無線ＩＣタグ１との間と、下位無線ＩＣタグ２との間とにおいて２回目の電磁誘導を生じさせる。これによって、上記と同様に、リーダライタ２００は、上位無線ＩＣタグ１と下位無線ＩＣタグ２とに対して２回目のデータ要求信号Ｍ０を送信する。
【００５１】
このリーダライタ２００からの２回目のデータ要求信号Ｍ０に対して、下位無線ＩＣタグ２は、１回目の場合と同様な動作を行い、下位応答信号Ｍ２を送信する。しかし、リーダライタ２００においては、下位応答信号Ｍ２は下位ＩＤに基づいて無視されるという判断がなされ、上位無線ＩＣタグ１においても既に格納されている下位ＩＤの下位応答信号Ｍ２であるとして無視する判断がなされる。
【００５２】
また、上位無線ＩＣタグ１は、リーダライタ２００からの２回目のデータ要求信号Ｍ０に対して、第１保持部３６に格納されている上位ＩＤと上位データＤＨと、第２保持部３７に格納されている下位ＩＤと下位データＤＳとからなる上位応答信号Ｍ１を送信する。このリーダライタ２００からの２回目のデータ要求信号Ｍ０に対する上位無線ＩＣタグ１の上位応答信号Ｍ１については、リーダライタ２００は受信して、リーダライタ２００のメモリ（図示せず）に格納される。なお、無線ＩＣタグ２においては、リーダライタ２００からの２回目のデータ要求信号Ｍ０に対する上位無線ＩＣタグ１の上位応答信号Ｍ１は、１回目と同様に受信されない（無視される）。
【００５３】
このようにして、リーダライタ２００においては、上位無線ＩＣタグ１と下位無線ＩＣタグ２とのそれぞれのデータを別々に受信するのではなく、下位無線ＩＣタグ２のデータを上位無線ＩＣタグ１のデータとの関連において受信することができる。
【００５４】
＜データ管理システムの空気調和機の製造工程への応用＞
ここでは、図５を参照しながら、上記無線ＩＣタグを用いたデータ管理システムを、空気調和機の製造工程に応用した場合の例を示す。
【００５５】
なお、ここでの空気調和機は、室内機と室外機とから構成されるものとする。また、説明のため、室内機Ａは、室内熱交換器Ａ１と、空気流を生成するクロスフローファンＡ２と、このクロスフローファンＡ２を回転させるための室内ファンモータＡ３とから構成されるものとする。また、室外機Ｂは、圧縮機Ｂ１と、圧縮機Ｂ１の吐出側に接続される四路切換弁Ｂ２と、圧縮機Ｂ１の吸入側に接続されるアキュムレータＢ３と、四路切換弁Ｂ２に接続された室外熱交換器Ｂ４と、室外熱交換器Ｂ４に接続された電動弁Ｂ５とから構成されるものとする。
【００５６】
（室内機について）
室内機Ａは、室内熱交換器Ａ１と、クロスフローファンＡ２と、室内ファンモータＡ３とのそれぞれの部品が製造されて、これらを組み立てることにより完成する。この場合に、頭文字にＡを有するＩＤとして、Ａ１をＩＤとする上位無線ＩＣタグ１と、Ａ２、Ａ３をＩＤとする下位無線ＩＣタグ２ａ、２ｂとを用意して、それぞれの製造工程において、上位無線ＩＣタグ１を室内熱交換器Ａ１に、下位無線ＩＣタグ２ａをクロスフローファンＡ２に、下位無線ＩＣタグ２ｂを室内ファンモータＡ３に取り付ける。
【００５７】
これにより、図５に示されるように、リーダライタ２００からの１回目のデータ要求信号Ｍ０によって、上述したデータ管理システムで説明したようにして、室内熱交換器Ａ１に設けられた上位無線ＩＣタグ１に対して、各下位無線ＩＣタグ２からのデータが送信されてくる。
そして、上位無線ＩＣタグ１では、受信したデータの中から論理回路３１によって頭文字がＡのＩＤを有するデータが選別することにより、室内機を構成する各部品の下位無線ＩＣタグ２ａ、２ｂのみのデータを集めることができる。すなわち、図５に示す、室外機Ｂの部品に取り付けられた無線ＩＣタグからのデータにはＩＤの頭文字としてＡではなくＢが取り付けられていると判断されるため、室外機Ｂの部品のデータが、間違って室内機Ａの部品であると判断される恐れがない。
【００５８】
（室外機について）
室外機Ｂは、圧縮機Ｂ１と、四路切換弁Ｂ２と、アキュムレータＢ３と、室外熱交換器Ｂ４と、電動弁Ｂ５とのそれぞれの部品が製造されて、これらを組み立てることによって完成する。この場合に、頭文字にＢを有するＩＤとして、Ｂ１をＩＤとする上位無線ＩＣタグ１と、Ｂ２、Ｂ３をＩＤとする下位無線ＩＣタグ２ｃ、２ｄ、２ｅ、２ｆとを用意して、各部品の製造工程において上位無線ＩＣタグ１を圧縮機Ｂ１に、下位無線ＩＣタグ２ｃを四路切換弁Ｂ２に、下位無線ＩＣタグ２ｄをアキュムレータＢ３に、下位無線ＩＣタグ２ｅを室外熱交換器Ｂ４に、下位無線ＩＣタグ２ｆを電動弁Ｂ５に、それぞれ取り付ける。
【００５９】
これにより、リーダライタ２００からの１回目のデータ要求信号Ｍ０によって、上述したデータ管理システムで説明したようにして圧縮機Ｂ１に設けられた上位無線ＩＣタグ１は、受信したデータの中から論理回路３１によって頭文字にＢを有するＩＤを選別することにより、室外機を構成する各部品の下位無線ＩＣタグ２ｃ、２ｄ、２ｅ、２ｆのみのデータを集めることができる。
【００６０】
（空気調和機全体について）
そして、リーダライタ２００からの２回目のデータ要求信号Ｍ０がなされると、上位無線ＩＣタグ１を有する室内熱交換器Ａ１および圧縮機Ｂ１から、リーダライタ２００に対して上位応答信号Ｍ１の返信がなされる。これによりリーダライタ２００は、室内機および室外機の製造工程において各部品の要素が揃っているか否かについて確認することができるようになる。
【００６１】
〔無線ＩＣタグを用いたデータ管理システムの特徴〕
（１）
データを要求すると複数の無線ＩＣタグそれぞれのＩＤとデータが単純に返答されるような従来の無線ＩＣタグの場合には、リーダライタ２００によって得られたデータでは、各無線ＩＣタグ同士の関係が分からない。このため、１つ１つのデータについて、無線ＩＣタグのＩＤやデータの入力・登録時におけるデータなどと照合しながら、各無線ＩＣタグが取り付けられている関係を調べなくてはならず煩雑である。また、各ＩＤやデータと無線ＩＣタグとが関係付けられているデータをデータベースとして残しておくことが必要になる。
【００６２】
しかし、上記実施形態における無線ＩＣタグを用いたデータ管理システムでは、上位無線ＩＣタグ１が下位無線ＩＣタグ２に格納されている下位データＤＳを選別して格納することができる。このため、上位無線ＩＣタグ１に保持されている上位データＤＨだけでなく、上位無線ＩＣタグ１と関連する下位データＤＳについても同時に取り扱うことができるようになり、また、上位無線ＩＣタグ１と下位無線ＩＣタグ２との関係についても把握できるようになるため、データ処理の利便性を向上させることが可能となる。
【００６３】
なお、従来からも製品の製造時、使用時、メンテナンス時に型番・製造番号などの識別情報、材質情報、稼働情報、エラー情報、メンテナンス情報等を非接触ＩＣカードに保持させておくシステムが提案されているが、上記実施形態における無線ＩＣタグを用いたデータ管理システム採用することによって、このようなシステムの各ステージにおいて情報を処理・判断して評価を行う際のデータ処理の利便性を向上させることができる。
【００６４】
また、リーダライタ２００は、すでに上位無線ＩＣタグ１と下位無線ＩＣタグ２との関係が示された形でデータを受信することができるため、各無線ＩＣタグが取り付けられている関係を示すデータベース等においてデータ量を低減させることができるようになる。
【００６５】
（２）
上記実施形態における無線ＩＣタグを用いたデータ管理システムでは、下位無線ＩＣタグ２は、上位無線ＩＣタグ１に設けられているような論理回路３１や、２つの保持部３６、３７を備える必要が無く、構成を簡易にすることができる。
【００６６】
なお、階層的にデータを管理するシステムにおいては、最下層に位置する部品・備品等に取り付ける無線ＩＤタグは、「データを識別して格納する」という機能は不要であるため、このような簡易な構成の下位無線ＩＣタグ２を取り付けることができる。これは、最下層に位置する部品・備品等は、一般に小さなものになりがちであるため、簡易な構成を採用することによって大きさを控えた下位無線ＩＣタグ２を取り付けることができるようになる。
【００６７】
（３）
上記実施形態における無線ＩＣタグを用いたデータ管理システムでは、各無線ＩＣタグ１、２における通信部１０を、受電と、データの送信と、データの受信との３つの機能を兼用させることができる。このため、受電部・送信部・受信部等のように、別個に構成要素を設ける必要が無いため、無線ＩＣタグ１、２の構成を単純化することができる。
【００６８】
（４）
上記実施形態における無線ＩＣタグを用いたデータ管理システムでは、例えば、寿命等により空気調和機を廃棄処分することになった場合等において、再利用可能な素材のみから構成されている部品等であるかどうか不明な場合においても、無線ＩＣタグを用いたデータ管理システムによって、その部品等における構成要素としてどのような種類のものが含まれているのかを判断することができる。これにより、再利用しようとする部品等を分解して中身の構成全部を調べなくても、再利用可能な素材のみから構成されているか否か認識することができるようになる。
【００６９】
また、同様にして、構成要素が同じ種類の素材からなるか否か不明な場合には、無線ＩＣタグを用いたデータ管理システムによって簡単に判断することができるようになり、ゴミとして分別廃棄する場合における利便性が向上される。
【００７０】
（５）
上記実施形態における無線ＩＣタグを用いたデータ管理システムでは、上位無線ＩＣタグ１と下位無線ＩＣタグ２とは、リーダライタ２００との電磁誘導によって電力を非接触に得ることができるため、自ら電池等の駆動力を備える必要がない。また、非接触に電力を得ることができるため電気配線等が不要であり、上位無線ＩＣタグ１や下位無線ＩＣタグ２は、移動するような対象に対しても取り付けて管理することができるようになる。
【００７１】
（６）
上記実施形態における無線ＩＣタグを用いたデータ管理システムでは、上位無線ＩＣタグ１は、リーダライタ２００に対してデータを非接触に送信することができるため、上位無線ＩＣタグ１が取り付けられる対象が視認困難なほど小さな物や、構造上視角に入りにくい物である場合においても、上位無線ＩＣタグ１からデータを受信するリーダライタ２００において、容易にデータの内容を認識することができるようになる。
【００７２】
例えば、プリント配線基板に取り付けられる多くの電装品のように細かな管理対象において各電装品の存在を１つ１つ視認することが困難となるような事例においても、上記実施形態における無線ＩＣタグを適用することにより、容易に構成を把握することができる。
【００７３】
〔変形例〕
（Ａ）
上記実施形態では、上位無線ＩＣタグ１と下位無線ＩＣタグ２とを利用して、上位の概念と下位の概念との２つの階層で構成されている。しかし、上位の概念と下位の概念との間にさらに中位の概念を設けて３つの階層で構成するようにすることもできる。また、さらに４つ、５つ・・・と多数の概念で構成されるものとすることもできる。
【００７４】
このような３つの階層からなるシステムに適用する場合、例えば、図６に示すように、室内機Ａを構成する室内熱交換器Ａ１と、クロスフローファンＡ２と、室内ファンモータＡ３とについてデータ管理システムを応用した場合は、以下のようになる。
【００７５】
室内熱交換器Ａ１が部品３つから構成される時には各部品に対して取り付けられる各無線ＩＣタグのＩＤを、図６に示されるように、Ａ１ａ、Ａ１ｂ、Ａ１ｃとし、クロスフローファンＡ２が部品４つから構成される時には各部品に対して取り付けられる各無線ＩＣタグのＩＤをＡ２ａ、Ａ２ｂ、Ａ２ｃとし、室内ファンモータＡ３が部品２つから構成される時には各部品に対して取り付けられる各無線ＩＣタグのＩＤをＡ３ａ、Ａ３ｂとする。そして、リーダライタ２００は、管理対象が３つの階層からなる場合には、それぞれの階層ごとにデータをまとめながらデータの階層化を行うため、データ要求信号Ｍ０を３回に分けて各無線ＩＣタグに送信する。１回目のデータ要求信号Ｍ０によって室内熱交換器Ａ１を構成する部品・クロスフローファンＡ２を構成する部品・室内ファンモータＡ３を構成する部品が全部揃っているか否か、２回目のデータ要求信号Ｍ０によって室内機Ａの部品が全部揃っているか否か、３回目のデータ要求信号Ｍ０によって空気調和機の部品が全部揃っているか否か、それぞれ把握することができる。これにより、上記と同様に上位無線ＩＣタグ１から、室内機の構成について階層化された各データを収集することができるようになる。例えば、リーダライタ２００においては、「無線ＩＣタグのＩＤがＡ１ｂの部品が無い」ということが分かった場合には、空気調和機の室内機Ａのうち、室内熱交換器Ａ１の部品の１つが無いということが分かるようになる。この点、「無線ＩＣタグのＩＤがＡ１ｂの部品が無い」場合に、どこの機器のどこの部品がないのか把握することができない従来の無線ＩＣタグとは異なる。
【００７６】
なお、このように２以上の概念でシステムを構築する場合においては、上位無線ＩＣタグ１として下位無線ＩＣタグ２の下位データＤＳの格納をしていくタグの主体を、リーダライタ２００からのデータ要求信号Ｍ０がなされる毎に変更していくようにすることもできる。この場合には、各構成要素の部品などの対象において、論理回路３１を備えた上位無線ＩＣタグ１と同様な構成の無線ＩＣタグを、階層の数だけ用意する。また、この論理回路３１によって、自己のメモリに空き容量があるか否かを判断させるなどして、データ要求信号Ｍ０がなされて各概念がまとめられる毎に、データを統括する上位となる無線ＩＣタグを変更していきながらシステムを構築することも可能である。この場合には、１つの上位無線ＩＣタグ１に大量のメモリが集中してしまうことを抑制することができるようになる。
【００７７】
（Ｂ）
上記実施形態では、上位無線ＩＣタグ１における第１保持部３６と第２保持部３７とは、別々の記録先に記録されるという構成を採用している。しかし、第１保持部３６と第２保持部３７とは、同一の記録媒体からなる保持部で構成されるものであってもよい。
【００７８】
（Ｃ）
上記実施形態では、リーダライタ２００とメイン無線ＩＣタグ１とは電磁誘導方式によって電力・データのやり取りを行っている。しかし、このほかにも静電結合方式、電磁誘導方式、マイクロ波方式、光方式等による場合であっても、上記実施形態におけるデータ管理システムと同様の効果を得ることができる。なお、電磁結合方式とは、密に結合した電磁誘導の相互誘導作用を利用した通信方式である。また、静電結合方式とは、静電気の誘導作用を利用した通信方式であり、電磁誘導方式とは、電磁誘導作用を利用した通信方式であり、マイクロ波方式とは、マイクロ波帯の電波を利用した通信方式であり、光方式とは、光通信を利用した通信方式のことをいう。
【００７９】
なお、上記実施形態では、電磁波Ｍとして主に、２５０ＫＨｚ以下あるいは１３．５６ＭＨｚ帯の長・中波帯の電磁波を利用した電磁誘導によって無線ＩＣタグ１に起電力を生じさせている。しかし、このような電磁誘導ではなく、電磁結合によって無線ＩＣタグ１に起電力を生じさせる場合であってもよい。電磁結合方式の場合には、一般に、電磁誘導方式と比べて交信距離は短いものとなるが、電磁誘導方式と比べると交信の際のノイズが生じにくいという点で優れているという効果が得られる。
【００８０】
（Ｄ）
上記実施形態では、無線ＩＣタグ１，２はカード型のものを採用している。しかし、無線ＩＣタグ１，２の形状はカード型に限られたものではなく、この他に、タグ型、チップ型、ラベル型、筒型、コイン型、箱型、スティック型等、特に形状についての限定を行わなくても、上記実施形態におけるデータ管理システムと同様の効果を得ることができる。
【００８１】
（Ｅ）
上記実施形態では、上位無線ＩＣタグ１は、起電力を生じさせるのに、リーダライタ２００からの電磁波Ｍを通信部１０の無線ＩＣタグコイル１１によって受信している。しかし、上位無線ＩＣタグ１は、下位無線ＩＣタグ２からの電磁波Ｍによって起電力を生じさせるようにしてもよい。
【００８２】
また、上位無線ＩＣタグ１や下位無線ＩＣタグ２は、電池を備えることにより自ら電磁波Ｍを生じさせることを可能にした構成であってもよい。
【００８３】
（Ｆ）
なお、上位無線ＩＣタグ１からの上位応答信号Ｍ１においては、論理回路３１において、自己と関係のある下位無線ＩＣタグ２の下位データＤＳが全て揃ったか否か判断させて、揃っている・揃っていないの旨の通知を上位応答信号Ｍ１に追加してリーダライタ２００に送信するようにしてもよい。
【００８４】
（Ｇ）
上記実施形態では、空気調和機の製造工程において完成した空気調和機について、無線ＩＣタグを用いたデータ管理システムを適用している。しかし、このようなデータ管理システムは、製造途中の製造工程管理においても適用することができる。この場合には、図７に示すように、組み立て中の製品に上位無線ＩＣタグ１を取り付けて、担当者、組み立て中の製品の運搬パレット、供給部品、供給部品のパレット等に下位無線ＩＣタグ２を取り付けて、管理を行うことも可能である。この場合には、組み立てられた製品の無線ＩＣタグに格納された情報によって製造者の情報をも取り扱うことができるため、故障・異常等が発生した場合において担当する者を容易に特定することができるようになる。また、製品のメンテナンス時においても、担当者を容易に特定することができるようになる。
【００８５】
（Ｈ）
また、無線ＩＣタグを用いたデータ管理システムは、図８に示すような、事務所における伝票管理についても適用することができる。例えば、図８に示すように、年末調整書類等をまとめて提出する場合において、年末調整書類に上位無線ＩＣタグ１と取り付けた場合には、他の領収書、住宅ローン残高証明書、一般社員等に下位無線ＩＣタグ２を取り付けることによっても、データ管理システムを適用することができる。この場合においても、上位無線ＩＣタグ１と下位無線ＩＣタグ２とのＩＤ等のやり取りによって、年末調整書類に所定の情報の関係がまとめられているため、庶務担当者は、年末調整書類等の回収時に、誰の書類か間違えること無く、一括管理を行うことができるようになる。
【００８６】
【発明の効果】
請求項１に係る非接触ＩＣカードでは、他の非接触ＩＣカードから伝導媒体によってデータを受信することができる。このため、第１データを保持している非接触ＩＣカードは、他の非接触ＩＣカードが保持している第２データについても保持することができるようになる。このため、第１データと第２データとを、一緒にもしくは関連付けて取り扱うことができるようになり、データ処理における利便性を向上させることが可能となる。
【００８７】
請求項２に係る非接触ＩＣカードでは、非接触ＩＣカードの通信部は、第２データを非接触に受信することができるようになる。このため、非接触ＩＣカードとともに用いられる他の非接触ＩＣカードにおいて電池等の駆動力が搭載されていない場合であっても、非接触ＩＣカードは、第２データを受信することができるようになる。
【００８８】
請求項３に係る非接触ＩＣカードでは、第２保持部は、選別部による選別結果に基づいてデータを格納することができるようになる。これにより、非接触ＩＣカードと他の非接触ＩＣカードとの間での関連付けをより詳細に行うことが可能となる。
【００８９】
請求項４に係る非接触ＩＣカードでは、非接触ＩＣカードは電気プラグとコンセントのような電気配線等を用いることなく電力を得ることができる。これにより、非接触ＩＣカードは、適用対象の距離範囲の制限を低減することが可能となる。
【００９０】
請求項５に係る非接触ＩＣカードでは、非接触ＩＣカードは、第１データと第２データとを関係付けて、まとめて外部装置に対して送信することができるようになる。これにより、外部装置が、非接触ＩＣタグが取り付けられた管理対象から離れた場所にある場合においても、第１データと、第１データと所定の関係にある第２データとをまとめられた状態で把握することができるようになる。
【００９１】
請求項６に係る非接触ＩＣカードでは、非接触ＩＣカードは、非接触ＩＣカードの通信部に対する外部機器からのデータ入力と、他の非接触ＩＣカードからのデータ入力とを組み合わせて行うことができるようになる。このため、データ処理における利便性をより向上させることができるようになる。
【００９２】
請求項７に係る非接触ＩＣカードシステムでは、非接触ＩＣカードが、他の非接触ＩＣカードから伝導媒体によってデータを受信することができる。このため、第１データを保持している非接触ＩＣカードは、他の非接触ＩＣカードが保持している第２データについても保持することができるようになる。このため、第１データと第２データとを、一緒にもしくは関連付けて取り扱うことができるようになり、データ処理における利便性を向上させることが可能となる。また、他の非接触ＩＣカードは、外部機器からの伝導媒体による信号によって誘導されて電力等の駆動力を生じ、これによって伝導媒体を発信して第２データを送信することができるようになる。これにより、非接触ＩＣカードとともに用いられる他の非接触ＩＣカードにおいて電池等の駆動力が搭載されていない場合であっても、非接触ＩＣカードは、第２データを受信することができるようになる。
【００９３】
請求項８に係る非接触ＩＣカードシステムでは、非接触ＩＣカードは、第１データと第２データとを関係付けて、まとめて外部装置に対して送信することができるようになる。これにより、外部装置が、非接触ＩＣタグが取り付けられた管理対象から離れた場所にある場合においても、第１データと、第１データと所定の関係にある第２データとをまとめられた状態で把握することができるようになる。
【図面の簡単な説明】
【図１】本発明の実施形態におけるデータ管理システムの模式図。
【図２】本発明の実施形態におけるリーダライタと上位無線ＩＣタグとのブロック図。
【図３】本発明の実施形態におけるリーダライタと下位無線ＩＣタグとのブロック図。
【図４】本発明の実施形態におけるデータ管理システムの説明図。
【図５】データ管理システムの空気調和機の製造工程への応用の説明図。
【図６】データ管理システムの空気調和機の製造工程への応用の変形例の説明図。
【図７】変形例におけるデータ管理システムの製造工程管理への適用の説明図。
【図８】変形例におけるデータ管理システムの書類管理への適用の説明図。
【符号の説明】
１    非接触ＩＣカード（上位無線ＩＣタグ）
２    他の非接触ＩＣカード（下位無線ＩＣタグ）
１０    通信部
３１    選別部（論理回路）
３６    第１保持部
３７    第２保持部
２０    電力部
２００    外部機器（リーダライタ）
ＤＨ    第１データ（上位ＩＤ，上位データ）
ＤＳ    第２データ（下位ＩＤ、下位データ）
Ｍ    伝導媒体（電磁波）
Ｍ０    信号（データ要求信号）
Ｍ２    他の非接触ＩＣカードが発信する信号（下位無線ＩＣタグが発信する信号）
【図１】
2005025443.tif 000003
【図２】
2005025443.tif 000004
【図３】
2005025443.tif 000005
【図４】
2005025443.tif 000006
【図５】
2005025443.tif 000007
【図６】
2005025443.tif 000008
【図７】
2005025443.tif 000009
【図８】
2005025443.tif 000010